(57)【要約】【課題】情報を得るまでに、いろいろな操作を実施する必要がなく、使用者に容易に情報を伝えることができるようにする。【解決手段】前壁となる前板２を有し、内部が加熱室５と電気室６に画成され、前板２の加熱室５に対応する部位に被加熱物の出し入れを行う開口部７が形成された本体１と、本体１の前面を覆うように本体１に開閉自在に設けられた扉９とを備え、扉９の前面側部であって電気室６に対応する部位には、操作部２４と、この操作部２４による操作の入力状態や調理状態を表示する第１の表示部２５とを設けるとともに、扉９の開扉時に露出される前板２の表面の電気室６に対応する部位に、第２の表示部３０を設ける。【選択図】図１
2012180975.tif 000002
【特許請求の範囲】
【請求項１】
前壁となる前板を有し、内部が加熱室と電気室に画成され、前記前板の前記加熱室に対応する部位には被加熱物の出し入れを行う開口部が形成された本体と、
前記本体の前面を覆うように前記本体に開閉自在に設けられた扉とを備えた加熱調理器において、
前記扉の前面側部であって前記電気室に対応する部位に、操作部と、前記操作部による操作の入力状態や調理状態を表示する第１の表示部とを設けるとともに、
前記扉の開扉時に露出される前記前板の表面の前記電気室に対応する部位に、第２の表示部を設けたことを特徴とする加熱調理器。
【請求項２】
前記第２の表示部には、少なくとも所定のメニューの加熱時間のめやすと使用時の注意書きが表示されていることを特徴とする請求項１記載の加熱調理器。
【請求項３】
前記第２の表示部に表示してある項目に、取扱説明書の参照ページを加えたことを特徴とする請求項２記載の加熱調理器。
【請求項４】
前記第２の表示部に表示してある文字の大きさを、前記第１の表示部で使用している文字の中の一番小さい文字と同等以上の大きさとしたことを特徴とする請求項２又は請求項３記載の加熱調理器。
【請求項５】
前記第２の表示部に表示してあるメニューの文字の大きさよりも、当該第２の表示部に表示してある注意書きの文字の大きさを大きくしたことを特徴とする請求項２乃至請求項４のいずれかに記載の加熱調理器。
【請求項６】
前記第２の表示部に表示してある注意書きの中で、高温注意に関する内容については、前記本体が高温になっている状態にある時のみ表示することを特徴とする請求項２乃至請求項５のいずれかに記載の加熱調理器。
【請求項７】
前記第２の表示部は、前記前板の表面の前記電気室に対応する部位に貼付されたシートであり、表示内容は該シートに印刷されていることを特徴とする請求項１乃至請求項６のいずれかに記載の加熱調理器。
【請求項８】
前記シートを貼り付けた前記前板の表面に対向する扉側の面に、前記シートの外形よりも大きい凹部を設けたことを特徴とする請求項７記載の加熱調理器。
【請求項９】
前記前板の表面に凹陥部が形成され、前記シートは前記凹陥部内に貼付されていることを特徴とする請求項７記載の加熱調理器。
【発明の詳細な説明】
【技術分野】
【０００１】
本発明は、使用者に容易に情報を伝えることができる加熱調理器に関する。
【背景技術】
【０００２】
従来の加熱調理器は、本体の加熱室の前面開口部に扉が設けられ、さらに正面から見て本体の加熱室の右隣（扉の配置位置よりも右側の位置）の前面に、メニューの選択、調理時間等の設定を行う操作部と、メニュー内容などの表示を行う表示部とを設けている。また、記憶手段に調味料の作り方、メニューの加熱目安時間、レンジの裏技などを記憶させ、使用者が入力手段を操作をすることで、知りたい情報を得ることができるようになっている（例えば、特許文献１参照）。また一般に、使用するときの注意事項は、本体天面や側面に貼付されている。
【先行技術文献】
【特許文献】
【０００３】
【特許文献１】特開２００２−３４９８６１号公報（要約、図１、図２）
【発明の概要】
【発明が解決しようとする課題】
【０００４】
しかしながら、記憶手段に調味料の作り方、メニューの加熱目安時間、レンジの裏技などを記憶させ、使用者が入力手段を操作をすることで、知りたい情報を得るようにしたものにあっては、メニューの加熱目安時間等、直ぐに知りたい情報でも、情報を得るまでに、いろいろな操作を実施しなければならず、操作が複雑で、分かりにくく、時間がかかる。また、注意事項は、本体天面や側面に貼付されているので、使用時にはなかなか見ることがなく、注意喚起力が低かった。
【０００５】
本発明の技術的課題は、情報を得るまでに、いろいろな操作を実施する必要がなく、使用者に容易に情報を伝えることができるようにすることにある。
【課題を解決するための手段】
【０００６】
本発明に係る加熱調理器は、下記の構成からなるものである。すなわち、前壁となる前板を有し、内部が加熱室と電気室に画成され、前板の加熱室に対応する部位に被加熱物の出し入れを行う開口部が形成された本体と、本体の前面を覆うように本体に開閉自在に設けられた扉とを備えた加熱調理器において、扉の前面側部であって電気室に対応する部位に、操作部と、この操作部による操作の入力状態や調理状態を表示する第１の表示部とを設けるとともに、扉の開扉時に露出される前板の表面の電気室に対応する部位に、第２の表示部を設けたものである。
【発明の効果】
【０００７】
本発明の加熱調理器によれば、扉の前面側部であって電気室に対応する部位に、操作部と、この操作部による操作の入力状態や調理状態を表示する第１の表示部とを設けるとともに、扉の開扉時に露出される前板の表面の電気室に対応する部位に、第２の表示部を設けたので、扉の開閉時に、使用者の同じ視線の先に扉側の操作部と前板側の第２の表示部が入ってくる。このため、第２の表示部が目立ち易く、確認し易くなっていて、使用者に第２の表示部の情報を容易に伝えることができる。
【図面の簡単な説明】
【０００８】
【図１】本発明の実施形態１に係る加熱調理器の開扉状態を示す斜視図である。
【図２】本発明の実施形態１に係る加熱調理器の閉扉状態を示す斜視図である。
【図３】本発明の実施形態１に係る加熱調理器の本体の前板に第２の表示部となるシートを貼付する前の状態を示す斜視図である。
【図４】本発明の実施形態１に係る加熱調理器を外装板を外した状態で示す斜視図である。
【図５】本発明の実施形態１に係る加熱調理器の本体と扉との関係を示す側面視の断面図である。
【図６】本発明の実施形態１に係る加熱調理器の内部構造を示す正面視の断面図である。
【図７】本発明の実施形態１に係る加熱調理器の本体の前板における第２の表示部を拡大して示す正面図である。
【図８】本発明の実施形態１に係る加熱調理器の第２の表示部となるシートの構成図である。
【図９】本発明の実施形態２に係る加熱調理器の第２の表示部となるシートの高温注意書き部の温度変化に伴う表示変化の状態を示す説明図である。
【発明を実施するための形態】
【０００９】
実施形態１．
図１は本発明の実施形態１に係る加熱調理器の開扉状態を示す斜視図である。図２は本発明の実施形態１に係る加熱調理器の閉扉状態を示す斜視図である。図３は本発明の実施形態１に係る加熱調理器の本体の前板に第２の表示部となるシートを貼付する前の状態を示す斜視図である。図４は本発明の実施形態１に係る加熱調理器を外装板を外した状態で示す斜視図である。図５は本発明の実施形態１に係る加熱調理器の本体と扉との関係を示す側面視の断面図である。図６は本発明の実施形態１に係る加熱調理器の内部構造を示す正面視の断面図である。図７は本発明の実施形態１に係る加熱調理器の本体の前板における第２の表示部を拡大して示す正面図である。図８は本発明の実施形態１に係る加熱調理器の第２の表示部となるシートの構成図である。
【００１０】
本発明の実施形態１の加熱調理器は、本発明をオーブンレンジに適用したものであり、図１乃至図６のように前壁となる前板２を有しかつ外装板３に覆われた本体１の内部は加熱室５と電気室６に画成されている。加熱室５には、その前面となる前板２に被加熱物の出し入れを行う開口部（以下「前面開口部」という）７が形成され、この前面開口部７を含む本体の前面の全域が、一部にガラス窓８を有した扉９によって開閉されるようになっている。扉９は、下辺部が本体１に軸支された縦開き扉９で構成され、上辺中央部にハンドル１０が設けられている。電気室６には、マグネトロン１１と、このマグネトロン１１に駆動電力を供給する高圧電力発生手段１２とが配置されている。加熱室５には、両側壁に角皿１３を支持する棚保持部１４ａ，１４ｂが設けられているとともに、一方の側壁に、加熱室５内の被加熱物の温度を検出する赤外線センサー１５が設置されている。加熱室５を加熱する手段として、マイクロ波を用いたマイクロ波加熱手段と、ヒーターを用いた輻射加熱手段が備えられている。
【００１１】
マイクロ波加熱とは、図６のように電気室６に設置したマグネトロン１１よりマイクロ波が励起され、導波管１６を伝搬し、加熱室５下部に配置されたアンテナモーター１７により駆動される回転アンテナ１８を介して加熱室５内部へ放射し、マイクロ波により被加熱物を加熱する方式を指す。
【００１２】
輻射加熱とは、加熱室５の上部や下部に設置されたヒーターにて、加熱室５内部を高温にし、被加熱物を加熱する方式を指す。ここでは、上ヒーター（フラットヒーター）２１と下ヒーター（シーズヒーター）２２が配置され、上ヒーター２１の上方に断熱材２３が設置されている。
【００１３】
正面から見て扉９における加熱室５の前面開口部７と対向しない右側位置、つまり扉９の前面側部における電気室６に対応する部位には、図２のように操作部２４と、この操作部２４による操作の入力状態や調理状態を表示する第１の表示部（液晶表示装置等で構成される）２５とが当該扉９と一体に設けられている。操作部２４は、例えば高周波加熱またはヒーター加熱を選択する選択ボタンや加熱時間等の加熱条件を入力する入力ボタン等を有している。
【００１４】
一方、扉９の開扉時に露出される目に付き易い前板２の表面の電気室６に対応する部位（正面から見て扉９の操作部２４及び液晶表示装置２５と重なる位置）２ａには、第２の表示部が設けられている。第２の表示部は、図１、図３、図７、図８に示すように、前板２の表面の電気室６に対応する部位２ａに貼付されたシート３０で構成されており、シート３０には、少なくとも比較的使用頻度の高いメニュー３１の加熱時間のめやす３２と使用時の注意書き３３が印刷されている。これにより、扉９の開閉時に、使用者の同じ視線の先に扉９側の操作部２４と前板２側の第２の表示部であるシート３０が入ってくるので、目立ち易く、確認し易くなっていて、容易に情報が伝わるようになっている。また、確認後の操作部２４による操作もし易く、使い勝手がよい。さらに、第２の表示部であるシート３０は製作が容易で、安価である。
【００１５】
また、シート３０に記載してある項目に、取扱説明書の参照ページを加えてもよい。これにより、もっと詳しく知りたい場合に、説明書の対応頁を知ることができるので、使い勝手がよくなる。
【００１６】
また、シート３０に記載してある文字の大きさを、第１の表示部２５で使用している文字の中の一番小さい文字と同等以上の大きさとしている。これにより、違和感なく、シート３０の記載内容を認識することができる。
【００１７】
また、シート３０に記載してあるメニュー３１の文字の大きさよりも、当該シート３０に記載してある注意書き３３の文字の大きさを大きくしている。これにより、注意喚起能力が向上し、安全を促す効果が大きくなる。
【００１８】
また、シート３０を貼り付けた前板２の表面に対向する扉９側の面に、図１及び図３のようにシート３０の外形よりも大きい凹部２６を設けている。これにより、扉９と前板２との間にシート３０が挟み付けられることがなくなり、扉９を閉じる際の扉９と前板２がぶつかる衝撃からシート３０を保護することができる。
【００１９】
なお、シート３０は、前板２の表面から凹陥する凹陥部内に貼付するようにしてもよい。この場合には、前述のシート保護効果に加え、シート貼付時の位置決め効果が得られる。この前板２側の凹陥部や前記扉９側の凹部２６については、後述の実施形態２にも適用可能である。
【００２０】
実施形態２．
図９は本発明の実施形態２に係る加熱調理器の第２の表示部となるシートの高温注意書き部の温度変化に伴う表示変化の状態を示す説明図であり、前述の実施形態１に相当する部分には同一符号を付してある。
【００２１】
本発明の実施形態２の加熱調理器は、シート３０に記載してある注意書き３３の中で、高温注意書き部３３ａに関する内容については、本体１が高温になっている状態にある時のみ表示するようにしたものである。具体的には高温で色が変わる（色が発現する）塗料またはインクを使用して、高温注意書き部３３ａの文字を印刷したものである。これにより、使用者に対して、本体１の温度の変化を視覚的にとらえさせることができ、注意喚起能力がさらに向上し、安全を促す効果が一層大きくなる。
【符号の説明】
【００２２】
１  本体、２  前板、２ａ  前板の表面の電気室に対応する部位、３  外装板、５  加熱室、６  電気室、７  前面開口部（開口部）、８  ガラス窓、９  扉、１０  ハンドル、１１  マグネトロン、１２  高圧電力発生手段、１３  角皿、１４ａ，１４ｂ  棚保持部、１５  赤外線センサー、１６  導波管、１７  アンテナモーター、１８  回転アンテナ、２１  上ヒーター、２２  下ヒーター、２３  断熱材、２４  操作部、２５  第１の表示部、２６  凹部、３０  シート（第２の表示部）、３１  メニュー、３２  加熱時間のめやす、３３  注意書き、３３ａ  高温注意書き部。
【図１】
2012180975.tif 000003
【図２】
2012180975.tif 000004
【図３】
2012180975.tif 000005
【図４】
2012180975.tif 000006
【図５】
2012180975.tif 000007
【図６】
2012180975.tif 000008
【図７】
2012180975.tif 000009
【図８】
2012180975.tif 000010
【図９】
2012180975.tif 000011